(57)【要約】【課題】定着装置が、間隔を空けて並ぶ複数の分離爪を備える場合に、シートの先端における両側縁部寄りの部分が損傷することを防止できること。【解決手段】定着装置５は、加熱ローラー５１および加圧ローラー５２を含む定着ローラー対５１，５２と、シートガイド部５６と、複数の分離爪５５とを備える。一対の外側ガイド部５６１は、幅方向Ｄ２の最も外側に位置する一対の外側分離爪５５ｂに対し幅方向Ｄ２の外側に位置する。一対の外側ガイド部５６１におけるシートに対向する外側ガイド面５６１０は、幅方向Ｄ２の内側の位置から外側の端へ向けて加熱ローラー５１の回転方向Ｄ１の下流側へ後退する方向へ傾斜した後退ガイド面５６１０ｂを含む。【選択図】図３
2017151252.tif 000002
【特許請求の範囲】
【請求項１】
シートを挟持しつつ回転することにより、前記シート上に形成された画像を前記シートに定着させつつ前記シートを搬送する加熱ローラーおよび加圧ローラーを含む定着ローラー対と、
前記定着ローラー対に対しシート搬送方向の下流側において、前記定着ローラー対から搬送されてくる前記シートをさらに前記シート搬送方向の下流側へ案内するシートガイド部と、
前記シートガイド部に支持され、前記シートの幅方向に沿って並び、先端が前記加熱ローラーの表面に接触し、前記加熱ローラーの表面から前記シートを剥がす複数の分離爪と、を備え、
前記シートガイド部は、
前記複数の分離爪のうち前記幅方向の最も外側に位置する一対の外側分離爪に対し前記幅方向の外側に位置する一対の外側ガイド部と、
前記一対の外側分離爪に対し前記幅方向の内側に位置する内側ガイド部と、を有し、
前記一対の外側ガイド部における前記シートに対向する外側ガイド面は、前記幅方向の内側の位置から外側の端へ向けて前記加熱ローラーの回転方向の下流側へ後退する方向へ傾斜した第１後退ガイド面を含む、定着装置。
【請求項２】
前記一対の外側ガイド部は、前記加熱ローラー側の端から前記シート搬送方向に沿う複数の切れ込みが形成された櫛状である、請求項１に記載の定着装置。
【請求項３】
前記複数の分離爪は、
前記一対の外側分離爪と、
前記一対の外側分離爪に対し前記幅方向の内側に位置する一対の内側分離爪と、を含み
前記一対の外側分離爪と前記一対の内側分離爪との間に位置する一対の前記内側ガイド部は、前記幅方向の内側の位置から前記一対の外側分離爪へ向けて前記加熱ローラーの回転方向の下流側へ後退する方向へ傾斜した第２後退ガイド面を含む、請求項１または請求項２に記載の定着装置。
【請求項４】
シートにトナー像を転写する転写部と、
前記転写部を経由した前記シートに前記トナー像を定着させる請求項１から請求項３のいずれか１項に記載の定着装置と、を備える画像形成装置。
【発明の詳細な説明】
【技術分野】
【０００１】
本発明は、定着装置および画像形成装置に関する。
【背景技術】
【０００２】
一般に、電子写真方式の画像形成装置は定着装置を備える。前記定着装置は、加熱ローラーおよび加圧ローラーを備える。トナー像が転写されたシートが前記加熱ローラーと前記加圧ローターとの間のニップ部を通過し、前記加熱ローラーが前記トナー像を加熱する。なお、前記加熱ローラーが定着ローラーなどと称される場合もある。
【０００３】
さらに、前記定着装置が、先端部において前記加熱ローラーの外周面に接する分離爪を備えることが知られている（例えば、特許文献１参照）。前記分離爪の先端部は、前記ニップ部に対し前記加熱ローラーの回転方向の下流側の位置において、バネの弾性力によって前記加熱ローラーの外周面に押し付けられる。
【０００４】
前記シートが前記加熱ローラーに付着した場合に、前記分離爪が、前記シートの先端部をすくい上げることによって前記加熱ローラーから前記シートを剥がす。
【先行技術文献】
【特許文献】
【０００５】
【特許文献１】２００３−３４５１５４号公報
【発明の概要】
【発明が解決しようとする課題】
【０００６】
ところで、前記定着装置が、前記加熱ローラーの回転軸方向において間隔を空けて並ぶ複数の前記分離爪を備える場合がある。この場合、複数の前記分離爪は、前記ニップ部を通過し得る最大サイズの前記シートの幅の内側の一部の範囲内で並ぶ。
【０００７】
従って、例えば前記ニップ部を通過する前記シートのサイズが最大である場合、前記シートの先端寄りの部分において、複数の前記分離爪を通過する部分が前記加熱ローラーから剥がされてから、前記シートの両側縁部が前記加熱ローラーから剥がれるまでに前記シートがさらに進行する場合がある。なお、前記シートの前記両側縁部は、前記シートの幅方向の両端からの一部である。
【０００８】
上記の場合、前記シートの先端における前記両側縁部が、前記ニップ部を通過した前記シートの搬送方向を案内するシートガイド部に衝突することによって損傷するおそれがある。例えば、前記シートの損傷は、前記シートの先端に前記シートガイド部の食い込み跡が残ったり、前記シートが破れたりすることなどである。
【０００９】
本発明の目的は、定着装置が、加熱ローラーの回転軸方向において間隔を空けて並ぶ複数の分離爪を備える場合に、シートの先端における両側縁部寄りの部分が損傷することを防止できる定着装置およびそれを備える画像形成装置を提供することにある。
【課題を解決するための手段】
【００１０】
本発明の一の局面に係る定着装置は、加熱ローラーおよび加圧ローラーを含む定着ローラー対と、シートガイド部と、複数の分離爪とを備える。前記加熱ローラーおよび前記加圧ローラーは、シートを挟持しつつ回転することにより、前記シート上に形成された画像を前記シートに定着させつつ前記シートを搬送する。前記シートガイド部は、前記定着ローラー対に対しシート搬送方向の下流側において、前記定着ローラー対から搬送されてくる前記シートをさらに前記シート搬送方向の下流側へ案内する。前記複数の分離爪は、前記シートガイド部に支持され、前記シートの幅方向に沿って並び、先端が前記加熱ローラーの表面に接触し、前記加熱ローラーの表面から前記シートを剥がす。前記シートガイド部は、一対の外側ガイド部と、内側ガイド部とを有する。前記一対の外側ガイド部は、前記複数の分離爪のうち前記幅方向の最も外側に位置する一対の外側分離爪に対し前記幅方向の外側に位置する。前記内側ガイド部は、前記一対の外側分離爪に対し前記幅方向の内側に位置する。前記一対の外側ガイド部における前記シートに対向する外側ガイド面は、前記幅方向の内側の位置から外側の端へ向けて前記加熱ローラーの回転方向の下流側へ後退する方向へ傾斜した第１後退ガイド面を含む。
【００１１】
本発明の他の局面に係る画像形成装置は、シートにトナー像を転写する転写部と、前記転写部を経由した前記シートに前記トナー像を定着させる前記定着装置とを備える。
【発明の効果】
【００１２】
本発明によれば、定着装置が、加熱ローラーの回転軸方向において間隔を空けて並ぶ複数の分離爪を備える場合に、シートの先端における両側縁部寄りの部分が損傷することを防止できる定着装置およびそれを備える画像形成装置を提供することが可能になる。
【図面の簡単な説明】
【００１３】
【図１】図１は、第１実施形態に係る定着装置を備える画像形成装置の構成図である。
【図２】図２は、第１実施形態に係る定着装置の構成図である。
【図３】図３は、第１実施形態に係る定着装置が備える加熱ローラーの一部および分離爪ユニットの斜視図である。
【図４】図４は、第１実施形態に係る定着装置における分離爪およびその周辺部の構成図である。
【図５】図５は、第１実施形態に係る定着装置が備える加熱ローラーおよび分離爪ユニットそれぞれの端部の斜視図である。
【図６】図６は、第１実施形態に係る定着装置が備える加熱ローラーの平面図および分離爪ユニットの断面図である。
【図７】図７は、第２実施形態に係る定着装置が備える加熱ローラーの平面図および分離爪ユニットの断面図である。
【発明を実施するための形態】
【００１４】
以下、添付図面を参照しながら、本発明の実施形態について説明する。なお、以下の実施形態は、本発明を具体化した一例であって、本発明の技術的範囲を限定する性格を有さない。
【００１５】
［第１実施形態］
まず、図１を参照しつつ、第１実施形態に係る定着装置５を備える画像形成装置１０の構成について説明する。
【００１６】
画像形成装置１０は、電子写真方式でシート９に画像を形成する装置である。シート９は、用紙および封筒などのシート状の画像形成媒体である。
【００１７】
画像形成装置１０は、シート供給部２、シート搬送部３、作像部４０、光走査部４６および定着装置５などを備える。
【００１８】
作像部４０は、トナー９０を用いて現像処理を行う現像ユニット４を含む。図１に示される画像形成装置１０は、タンデム式画像形成装置であり、カラープリンターである。そのため、画像形成装置１０は、シアン、マゼンタ、イエローおよびブラックの各色の前記トナーに対応した複数の現像ユニット４を備える。
【００１９】
現像ユニット４各々は、感光体４１、帯電装置４２、現像装置４３、一次転写部４４および一次クリーニング装置４５などを備える。
【００２０】
タンデム式の画像形成装置１０は、さらに、中間転写ベルト４７、二次転写部４８および二次クリーニング装置４７０を備える。
【００２１】
シート供給部２において、シート送出部２２が、複数のシート９を収容するシートカセット２１から、シート９を１枚ずつ搬送路３０へ送り出す。
【００２２】
シート搬送部３は、シート９を搬送路３０に沿って搬送する複数組の搬送ローラー対３１を備える。複数組の搬送ローラー対３１のうちの１組である排出ローラー対３１ａが、定着装置５を通過した画像形成後のシート９を搬送路３０から排出トレイ１０１上へ排出する。
【００２３】
現像ユニット４各々において、ドラム状の感光体４１が回転し、帯電装置４２が感光体４１の表面を一様に帯電させる。光走査部４６は、レーザー光を走査することにより感光体４１の表面に静電潜像を書き込む。なお、感光体４１は、静電潜像が形成される像担持体の一例である。
【００２４】
現像装置４３は、感光体４１上の前記静電潜像をトナー９０の像として現像する。一次転写部４４は、感光体４１表面のトナー９０の像を中間転写ベルト４７に転写する。一次クリーニング装置４５は、感光体４１表面に残存するトナー９０を除去する。
【００２５】
二次転写部４８は、搬送路３０におおいて、中間転写ベルト４７に形成されたトナー像をシート９に転写する。二次クリーニング装置４７０は、中間転写ベルト４７に残存するトナー９０を除去する。なお、二次転写部４８は、シート９に前記トナー像を転写する転写部の一例である。
【００２６】
定着装置５は、シート９に転写された前記トナー像を加熱し、前記トナー像をシート９に定着させる。
【００２７】
［定着装置５の構成］
図２，３に示されるように、定着装置５は、加熱ローラー５１、加圧ローラー５２、ヒーター５３、搬入ガイド５４、複数の分離爪５５、搬出ガイド５６および定着出口ローラー対３２を備える。以下の説明において、加熱ローラー５１および加圧ローラー５２のこと定着ローラー対５１，５２と総称する。
【００２８】
定着ローラー対５１，５２は、二次転写部４８を通過後に搬送路３０に沿って搬送されるシート９を挟み込んで回転する。加熱ローラー５１は、その外層が加圧ローラー５２よりも硬質のローラーである。加圧ローラー５２は、その外層が加熱ローラー５１よりも軟質のローラーである。
【００２９】
例えば、加熱ローラー５１は、筒状の金属部材と、その金属部材の外周面に薄く形成されたシリコンなどを主成分とする樹脂のコーティング膜とを含む。また、加圧ローラー５２が、金属製の棒状の芯部材と、その芯部材の周囲に厚く形成されたシリコンなどを主成分とする弾性外層とを含む。
【００３０】
加圧ローラー５２は不図示のバネによって加熱ローラー５１に押し付けられている。加圧ローラー５２は、加熱ローラー５１と接触して回転し、加熱ローラー５１との間にシート９が通過するニップ部Ｐ０を形成する。ニップ部Ｐ０は、加熱ローラー５１が加圧ローラー５２の前記弾性外層に食い込んだ部分である。
【００３１】
ヒーター５３は、加熱ローラー５１を加熱する。例えば、ヒーター５３は、筒状の加熱ローラー５１に内包されている。加熱ローラー５１は、ヒーター５３によって加熱されつつ予め定められた回転方向Ｄ１へ回転する。
【００３２】
以下の説明において、加熱ローラー５１の回転中心線に沿う方向のことを回転軸方向Ｄ２と称する。回転軸方向Ｄ２は、加熱ローラー５１の長手方向であり、ニップ部Ｐ０を通過するシート９の幅方向でもある。ニップ部Ｐ０を通過し得る最大サイズのシート９の幅のことを最大シート幅と称する。
【００３３】
なお、図３において、ニップ部Ｐ０を通過し得る最大サイズのシート９が仮想線（二点鎖線）で示されている。
【００３４】
搬入ガイド５４は、定着ローラー対５１，５２に対してシート搬送方向の上流側に設けられている。搬入ガイド５４は、搬送路３０に沿って搬送されるシート９の先端を、加熱ローラー５１の外周面におけるニップ部Ｐ０に近い位置へ案内する。
【００３５】
搬入ガイド５４は、搬送路３０の加熱ローラー５１側に位置する第１搬入ガイド５４ａと、搬送路３０の加圧ローラー５２側に位置する第２搬入ガイド５４ｂとを含む。
【００３６】
複数の分離爪５５は、定着ローラー対５１，５２に対し前記シート搬送方向の下流側の位置において、最大シート範囲Ｗ０の内側の一部の範囲において、間隔を空けて並んでいる（図３参照）。最大シート範囲Ｗ０は、加熱ローラー５１の回転軸方向Ｄ２における前記最大シート幅のシート９が通過する範囲である。
【００３７】
複数の分離爪５５各々は、加熱ローラー５１に付着したシート９を剥がす部材である。複数の分離爪５５の先端部５５ｔは、加熱ローラー５１の外周面に圧接している。
【００３８】
シート９が加熱ローラー５１に付着した場合に、分離爪５５が、シート９の先端部をすくい上げることによって加熱ローラー５１からシート９を剥がす。以下の説明において、複数の分離爪５５のうち、回転軸方向Ｄ２の最も外側に位置する一対の分離爪５５のことを外側分離爪５５ｂと称し、回転軸方向Ｄ２において一対の外側分離爪５５ｂの内側に位置する他の分離爪５５のことを内側分離爪５５ａと称する。
【００３９】
搬出ガイド５６は、定着ローラー対５１，５２に対しシート搬送方向の下流側の位置に設けられている。搬出ガイド５６は、シート９に対向するガイド面５６０を有する。ガイド面５６０は、複数の分離爪５５によって加熱ローラー５１から剥がされたシート９を、前記シート搬送方向の下流側の定着出口ローラー対３２へ案内する。
【００４０】
本実施形態において、ニップ部Ｐ０を通過するシート９の搬送方向は、下から上へ向かう方向である。即ち、搬出ガイド５６のガイド面５６０は、下方のニップ部Ｐ０から送り出されるシート９を上方へ案内する。なお、ニップ部Ｐ０を通過するシート９の搬送方向が他の方向であることも考えられる。
【００４１】
搬出ガイド５６は、搬送路３０の加熱ローラー５１側に位置する第１搬出ガイド５６ａと、搬送路３０の加圧ローラー５２側に位置する第２搬出ガイド５６ｂとを含む。
【００４２】
搬出ガイド５６のガイド面５６０は、回転軸方向Ｄ２における最大シート範囲Ｗ０全体に亘って形成されている。第１搬出ガイド５６ａは、一対の外側ガイド部５６１およびその他の複数の内側ガイド部５６２を含む。一対の外側ガイド部５６１は、回転軸方向Ｄ２における一対の外側分離爪５５ｂの両外側に位置する。複数の内側ガイド部５６２は、一対の外側分離爪５５ｂの内側に位置する。図５において、一対の外側ガイド部５６１の一方の拡大斜視図が示されている。
【００４３】
一対の外側ガイド部５６１のガイド面５６０である一対の外側ガイド面５６１０は、複数の分離爪５５によって加熱ローラー５１から剥がされたシート９の先端寄りの両側縁部９ｘをシート搬送方向の下流側へ案内する。
【００４４】
本実施形態において、外側ガイド部５６１各々は、加熱ローラー５１側の端から前記シート搬送方向に沿う複数の切れ込み５６１ｃが形成された櫛状である。
【００４５】
少なくとも一対の内側ガイド部５６２が、一対の外側分離爪５５ｂと回転軸方向Ｄ２において一対の外側分離爪５５ｂに対し内側の隣に位置する一対の内側分離爪５５ａとの間に形成されている。
【００４６】
一対の内側ガイド部５６２のガイド面５６０である内側ガイド面５６２０は、一対の内側分離爪５５ａによって加熱ローラー５１から剥がされたシート９の両側縁部９ｘを前記シート搬送方向の下流側へ案内する。
【００４７】
本実施形態において、定着装置５は、回転軸方向Ｄ２に並ぶ６つの分離爪５５を備える。以下の説明において、６つの分離爪５５のうち回転軸方向Ｄ２の両端から２番目に位置する２つを、一対の内側分離爪５５ａと称する。
【００４８】
図３，４に示されるように、複数の分離爪５５は、第１搬出ガイド５６ａに支持された支軸部５７によって回動可能に支持されている。即ち、分離爪５５各々は、支軸部５７を介して第１搬出ガイド５６ａに支持されている。
【００４９】
また、図４に示されるように、分離爪５５各々は、先端部５５ｔが加熱ローラー５１の外周面に対してバネ５８の弾性力で押し付けられた状態で、支軸部５７に支持されている。
【００５０】
定着出口ローラー対３２は、加熱ローラー５１および加圧ローラー５２から送り出されるシート９の搬送を引き継いで、排出ローラー対３１ａ側へ搬送する。定着出口ローラー対３２は、搬送路３０の加熱ローラー５１側に位置する第１定着出口ローラー３２ａと、搬送路３０の加圧ローラー５２側に位置する第２定着出口ローラー３２ｂとを含む。
【００５１】
第１定着出口ローラー３２ａは、第１搬出ガイド５６ａによって回転可能に支持されている。また、第２定着出口ローラー３２ｂは、第２搬出ガイド５６ｂによって回転可能に支持されている。定着装置５は、加熱ローラー５１の回転軸方向Ｄ２に沿って間隔を空けて並ぶ複数組の定着出口ローラー対３２を備える（図３参照）。
【００５２】
図３に示されるように、複数の分離爪５５および複数の第１定着出口ローラー３２ａと、それらを支持する第１搬出ガイド５６ａとは、一体の分離爪ユニット５０を構成している。
【００５３】
ところで、以上に示されたように、定着装置５は、加熱ローラー５１の回転軸方向Ｄ２において間隔を空けて並ぶ複数の分離爪５５を備える。そして、複数の分離爪５５は、ニップ部Ｐ０を通過し得る最大サイズのシート９の幅の内側の一部の範囲内で並ぶ。
【００５４】
従って、例えばニップ部Ｐ０を通過するシート９のサイズが最大である場合、シート９の先端寄りの部分において、複数の分離爪５５を通過する部分が加熱ローラー５１から剥がされてから、シート９の両側縁部９ｘが加熱ローラー５１から剥がれるまでにシート９がさらに進行する場合がある。
【００５５】
上記の場合、シート９の先端における両側縁部９ｘが、ニップ部Ｐ０を通過したシート９の搬送方向を案内する第１搬出ガイド５６ａに衝突することによって損傷するおそれがある。例えば、シート９の損傷は、シート９の先端に第１搬出ガイド部５６ａの食い込み跡が残ったり、シート９が破れたりすることなどである。
【００５６】
定着装置５の第１搬出ガイド５６ａは、シート９の先端における両側縁部９ｘが損傷することを防止できる構造を備える。以下、その構造について説明する。
【００５７】
図６は、図５に示される第１搬出ガイド５６ａおよび分離爪５５におけるＩ−Ｉ平面での断面図を示す。
【００５８】
図６に示されるように、定着装置５において、一対の外側ガイド部５６１各々の外側ガイド面５６１０は、それぞれ回転軸方向Ｄ２の中間位置の内側と外側に位置する第１外側ガイド面５６１０ａと第２外側ガイド面５６１０ｂとを含む。
【００５９】
一対の外側ガイド部５６１において、第２外側ガイド面５６１０ｂは、回転軸方向Ｄ２における第１外側ガイド面５６１０ａとの境界位置から外側の端へ向けて加熱ローラー５１の回転方向Ｄ１の下流側へ後退する方向へ傾斜して形成されている。なお、第２外側ガイド面５６１０ｂは第１後退ガイド面の一例である。
【００６０】
前述したように、複数の分離爪５５がシート９を加熱ローラー５１から剥がしているときに、シート９の先端における両側縁部９ｘが加熱ローラー５１から剥がれるまでにシート９がさらに進行する場合がある。
【００６１】
定着装置５においては、第２外側ガイド面５６１０ｂが加熱ローラー５１の回転方向Ｄ１の下流側に後退する方向へ傾斜している。これにより、シート９の先端における両側縁部９ｘは、加熱ローラー５１から十分に浮き上がった後に第２外側ガイド面５６１０ｂに接触する。
【００６２】
従って、定着装置５が採用されれば、シート９の先端における両側縁部９ｘが一対の外側ガイド部５６１に衝突することによって損傷することが防止される。
【００６３】
また、シート９の先端における両側縁部９ｘが比較的速やかに加熱ローラー５１から剥がれた場合には、一対の外側ガイド部５６１の第１外側ガイド面５６１０ａが、内側ガイド面５６２０とともに回転軸方向Ｄ２の広い範囲において均一にシート９を案内する。これにより、シート９の両側縁部９ｘが搬送路を形成する部材に引っ掛かるなどの不都合が回避される。
【００６４】
さらに、一対の外側ガイド部５６１が櫛状に形成されている。この場合、一対の外側ガイド部５６１において、切れ込み５６１ｃで区分される複数の爪状の部分がそれぞれ独立して成型される。そのため、要求される寸法精度を満たす一対の外側ガイド部５６１を成型することが容易となる。
【００６５】
［第２実施形態］
次に、図７を参照しつつ、第２実施形態に係る定着装置５Ａについて説明する。定着装置５Ａは、図２〜６に示される定着装置５と比較して、一対の内側ガイド部５６２の形状が異なる。
【００６６】
図７において、図２〜６に示される構成要素と同じ構成要素は、同じ参照符号が付されている。以下、定着装置５Ａにおける定着装置５と異なる点について説明する。
【００６７】
定着装置５Ａの第１搬出ガイド５６ａにおいて、一対の内側ガイド部５６２の内側ガイド面５６２０は、それぞれ回転軸方向Ｄ２の中間位置の内側と外側とに位置する第１内側ガイド面５６２０ａと第２内側ガイド面５６２０ｂとを含む。
【００６８】
一対の内側ガイド部５６２において、第２内側ガイド面５６２０ｂは、第１内側ガイド面５６２０ａとの境界位置から一対の外側分離爪５５ｂへ向けて加熱ローラー５１の回転方向Ｄ１の下流側へ後退する方向へ傾斜して形成されている。なお、第２内側ガイド面５６２０ｂは第２後退ガイド面の一例である。
【００６９】
シート９の幅が一対の外側分離爪５５ｂの間隔よりも狭く、かつ、一対の内側分離爪５５ａの間隔よりも広い場合がある。この場合、シート９の先端における両側縁部９ｘは、加熱ローラー５１から十分に浮き上がった後に第２内側ガイド面５６２０ｂに接触する。
【００７０】
従って、定着装置５が採用されれば、シート９の幅が一対の外側分離爪５５ｂに届かない幅である場合に、シート９の先端における両側縁部９ｘが一対の内側ガイド部５６２に衝突することによって損傷することが防止される。
【００７１】
また、本実施形態において、第１内側ガイド面５６２０ａは、一対の外側分離爪５５ｂの間隔よりも大きな幅のシート９に対する一対の外側ガイド部５６１の第１外側ガイド面５６１０ａの役割と同じ役割を果たす。
【００７２】
また、本実施形態において、内側ガイド部５６２各々は、外側ガイド部５６１と同様に、加熱ローラー５１側の端から前記シート搬送方向に沿う複数の切れ込み５６２ｃが形成された櫛状である。この場合、一対の外側ガイド部５６１が櫛状である場合と同様の効果が得られる。
【００７３】
[応用例]
以上に示された定着装置５Ａにおいて、内側ガイド面５６２０および外側ガイド面５６１０の構造が、複数の分離爪５５のうち回転軸方向Ｄ２の両端から２番目に位置する２つと同３番目に位置する２つとの間に形成された他の２つの内側ガイド部５６２に適用されることも考えられる。
【００７４】
また、定着装置５の一対の外側ガイド部５６１において、第１外側ガイド面５６１０ａが省略され、第２外側ガイド面５６１０ｂが、一対の外側分離爪５５ｂの近傍の位置から両外側の範囲に形成されることも考えられる。
【００７５】
同様に、定着装置５Ａの一対の内側ガイド部５６２において、第１内側ガイド面５６２０ａが省略され、第２内側ガイド面５６２０ｂが、一対の内側分離爪５５ａと一対の外側分離爪５５ｂとの間の全範囲に形成されることも考えられる。
【００７６】
なお、本発明に係る定着装置および画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００７７】
２          ：シート供給部
３          ：シート搬送部
４          ：現像ユニット
５，５Ａ    ：定着装置
９          ：シート
９ｘ        ：シートの両側縁部
１０        ：画像形成装置
２１        ：シートカセット
２２        ：シート送出部
３０        ：搬送路
３１        ：搬送ローラー対
３１ａ      ：排出ローラー対
３２        ：定着出口ローラー対
３２ａ      ：第１定着出口ローラー
３２ｂ      ：第２定着出口ローラー
４０        ：作像部
４１        ：感光体
４２        ：帯電装置
４３        ：現像装置
４４        ：一次転写部
４５        ：一次クリーニング装置
４６        ：光走査部
４７        ：中間転写ベルト
４８        ：二次転写部
５０        ：分離爪ユニット
５１        ：加熱ローラー
５２        ：加圧ローラー
５３        ：ヒーター
５４        ：搬入ガイド
５４ａ      ：第１搬入ガイド
５４ｂ      ：第２搬入ガイド
５５        ：分離爪
５５ａ      ：内側分離爪
５５ｂ      ：外側分離爪
５５ｔ      ：分離爪の先端部
５６        ：搬出ガイド
５６ａ      ：第１搬出ガイド
５６ｂ      ：第２搬出ガイド
５７        ：支軸部
５８        ：バネ
９０        ：トナー
１０１      ：排出トレイ
４７０      ：二次クリーニング装置
５６０      ：ガイド面
５６１      ：外側ガイド部
５６１ｃ，５６２ｃ：切れ込み
５６２      ：内側ガイド部
５６１０    ：外側ガイド面５６１０ａ  ：第１外側ガイド面
５６１０ｂ  ：第２外側ガイド面（第１後退ガイド面）
５６２０    ：内側ガイド面
５６２０ａ  ：第１内側ガイド面
５６２０ｂ  ：第２内側ガイド面（第２後退ガイド面）
Ｄ１        ：回転方向
Ｄ２        ：回転軸方向（シートの幅方向）
Ｐ０        ：ニップ部
Ｗ０        ：最大シート範囲
【図１】
2017151252.tif 000003
【図２】
2017151252.tif 000004
【図３】
2017151252.tif 000005
【図４】
2017151252.tif 000006
【図５】
2017151252.tif 000007
【図６】
2017151252.tif 000008
【図７】
2017151252.tif 000009